(57)【要約】【課題】    本発明は、以下の課題を解決する再利用可能な結束具を提供することにある。（１）簡単な構造であって、紐類の一端を固定しやすく、かつ、締め付けた後の紐類の緩みをなくする。（２）紐類を結束具から容易に解くことができる。【解決手段】    本発明の結束具は、以下の構成としたことを特長とするものである。（１）紐類１２を巻き付けたり、旋回させたりするための固定リブ４、支持リブ３、旋回リブ２、締結リブ１（２）締結リブ１と旋回リブ２と側面リブ６とで構成される、一方の側面が開口した開口空間部８（３）紐類のすべりを防止するために、少なくとも各リブの一つに一体的に形成される凸部からなる係止用凸部【選択図】図１２
2009126582.tif 000002
【特許請求の範囲】
【請求項１】
物品を紐類で結束するための結束具において、以下の構成からなることを特徴とするプラスチック製結束具。
（ａ）紐類の一端を固定する固定リブ
（ｂ）紐類の他端を支持する支持リブ
（ｃ）支持リブに仮止めされた前記他端の紐類をさらに旋回させるための旋回リブ
（ｄ）旋回リブに旋回された前記他端の紐類を締結するための締結リブ
（ｅ）上記（ａ）から（ｄ）のリブを結合するための側面リブ
（ｆ）前記固定リブと前記支持リブと前記旋回リブと前記側面リブとで構成される空間部
（ｇ）前記締結リブと前記旋回リブと前記側面リブとで構成される、一方の側面が開口した開口空間部
（ｈ）紐類のすべりを防止するために、少なくとも上記（ａ）から（ｄ）のリブの一つに一体的に形成される凸部からなる係止用凸部
【請求項２】
物品を紐類で結束するための結束具において、以下の構成からなることを特徴とするプラスチック製結束具。
（ａ）紐類の一端を固定する固定リブ
（ｂ）紐類の他端を支持する支持リブ
（ｃ）支持リブに仮止めされた前記他端の紐類をさらに旋回させるための旋回リブ
（ｄ）旋回リブに旋回された前記他端の紐類を締結するための締結リブ
（ｅ）上記（ａ）から（ｄ）のリブを結合するための側面リブ
（ｆ）前記固定リブと前記支持リブと前記旋回リブと前記側面リブとで構成される空間部
（ｇ）前記締結リブと前記旋回リブと前記側面リブとで構成される、一方の側面が開口した開口空間部
（ｈ）紐類のすべりを防止するために、少なくとも上記（ａ）から（ｄ）のリブの一つに一体的に形成される凸部からなる係止用凸部
（ｉ）上記（ａ）から（ｈ）の構成を、前記固定リブを中心にして対称的に形成した結束具
【請求項３】
前記側面リブとの結合部分から開口空間部にむけて、開口空間部を狭めるように、前記締結リブにテーパー部を形成したことを特長とする前記請求項１ないし２のいずれか一に記載のプラスチック製結束具。
【請求項４】
前記結合リブのバネ性を強化するために、前記締結リブに結合される前記側面リブに湾曲部を形成したことを特長とする前記請求項１ないし３のいずれか一に記載のプラスチック製結束具。
【発明の詳細な説明】
【技術分野】
【０００１】本発明は、梱包用の結束バンドや部品を束ねる紐類を簡単に結束するためのプラスチック製の結束具に関するもので、簡単な操作で紐類を締結しながら、かつ、緩み無く結束でき、さらに、結束後の固定も簡単にできる結束具を提供するものである。【０００２】従来は、ベルトや帯紐などの帯状の紐類に使用するバックルなどがあったが、以下の欠点があった。
（１）実用新案文献１のバックルは、本発明のような固定リブ、旋回リブ、締結リブや側面リブなどを有しているが、紐類の一端を締結し固着するための締結リブがその中央部分で開口しているので、弾力性が不足で紐類を固定する効果が少なかった。
また、旋回リブなどに係止用凸部が無いために、紐類の締結に際して紐類の戻りを防止する作用も弱かった。
（２）実用新案文献２のバックルは、本発明のような固定リブ、旋回リブ、締結リブや側面リブなどを有しているが、紐類の一端を締結し固着するための締結リブが開口していない。したがって、紐類の一端の固定は単純に固結びをするか、ビスや縫製など他の締結具を使用する必要があった。
（３）その他の一般的な結束具としては、鋸歯状の凸部を持った紐類を、鋸歯状の凸部と噛み合う受部を持った固定部で締結し固定するものがあった。この結束具は、結束力は非常に強いものの、それを解除する場合、つまり紐類を解く場合は鋸歯状の凸部を持った紐類そのものを切断する必要があった。したがって、この結束具は再利用できない欠点があった。
【実用新案文献１】
実公昭６２−３６８１４
【実用新案文献２】
実用新案登録第３０７３１０７号
【本発明が解決しようとする課題】
【０００３】本発明によって解決されるべき課題には、以下のようなものがある。
（１）簡単な構造であって、プラスチック成形ができる構造である。
（２）紐類の一端を固定しやすく、かつ、締め付けた後の紐類の緩みをなくする。
（３）紐類を結束具から容易に解くことができる。
（４）上記のことによって、再利用が可能である。
そこで本発明は、以下に述べる手段により、従来の結束具の欠点を解決しようとするものである。
【問題を解決するための手段】
【０００４】本発明の薄肉成形品は、以下のことを特徴とするものである。
請求項１においては、
物品を紐類で結束するための結束具において、以下の構成からなることを特徴とするプラスチック製結束具。
（ａ）紐類の一端を固定する固定リブ
（ｂ）紐類の他端を支持する支持リブ
（ｃ）支持リブに仮止めされた前記他端の紐類をさらに旋回させるための旋回リブ
（ｄ）旋回リブに旋回された前記他端の紐類を締結するための締結リブ
（ｅ）上記（ａ）から（ｄ）のリブを結合するための側面リブ
（ｆ）前記固定リブと前記支持リブと前記旋回リブと前記側面リブとで構成される空間部
（ｇ）前記締結リブと前記旋回リブと前記側面リブとで構成される、一方の側面が開口した開口空間部
（ｈ）紐類のすべりを防止するために、少なくとも上記（ａ）から（ｄ）のリブの一つに一体的に形成される凸部からなる係止用凸部
【０００５】請求項２においては、
物品を紐類で結束するための結束具において、以下の構成からなることを特徴とするプラスチック製結束具。
（ａ）紐類の一端を固定する固定リブ
（ｂ）紐類の他端を支持する支持リブ
（ｃ）支持リブに仮止めされた前記他端の紐類をさらに旋回させるための旋回リブ
（ｄ）旋回リブに旋回された前記他端の紐類を締結するための締結リブ
（ｅ）上記（ａ）から（ｄ）のリブを結合するための側面リブ
（ｆ）前記固定リブと前記支持リブと前記旋回リブと前記側面リブとで構成される空間部
（ｇ）前記締結リブと前記旋回リブと前記側面リブとで構成される、一方の側面が開口した開口空間部
（ｈ）紐類のすべりを防止するために、少なくとも上記（ａ）から（ｄ）のリブの一つに一体的に形成される凸部からなる係止用凸部
（ｉ）上記（ａ）から（ｈ）の構成を、前記固定リブを中心にして対称的に形成した結束具
【０００６】請求項３においては、
前記側面リブとの結合部分から開口空間部にむけて、開口空間部を狭めるように、前記締結リブにテーパー部を形成したことを特長とする前記請求項１ないし２のいずれか一に記載のプラスチック製結束具。
【０００７】請求項４においては、
前記結合リブのバネ性を強化するために、前記締結リブに結合される前記側面リブに湾曲部を形成したことを特長とする前記請求項１ないし３のいずれか一に記載のプラスチック製結束具。
【発明の効果】
【０００８】本発明の請求項１ないし２においては、紐類の一端を締結し固着するための締結リブがその側面部分で開口しているので、締結リブ全体の弾性で紐類を固定することができ、かつ、旋回リブなどに係止用凸部を設けて紐類と旋回リブなどとの摩擦係数を増加させ、紐類の締結に際して紐類の戻りを防止する効果がある。
【０００９】請求項３においては、締結リブにテーパーをつけて締結リブの弾性の強化を図り、締結力をさらに強くできる効果がある。
【００１０】請求項４においては、締結リブに結合される部分の側面リブを湾曲させることで、締結リブの弾性の強化を図り、締結力をさらに強くできる効果がある。
【発明を実施するための最良の形態】
【実施例】
【００１１】図１は、本発明のプラスチック成形による結束具の一例を示すもので、材料のプラスチックは、弾性のあるポリプロピレンが望ましい。アクリルやＡＢＳ樹脂などの硬質プラスチックは、強度が強い利点はあるものの、割れることや折れることがあるため、製品の安全性上での問題がある。
１は締結リブで、紐類１２の終端を固定するためのものである。２は旋回リブで、紐類１２の緩みを防止するために紐類１２を旋回させるためのリブである。
３は支持リブで、紐類１２を巻き付けるためのものである。４は固定リブで、紐類１２の他端を固定するものである。５は左側面リブ、６は右側面リブで締結リブ１、旋回リブ２、支持リブ３、固定リブ４のそれぞれ一端に結合されるものである。
７は係止用凸部で、紐類１２の戻りを防止するための棒状の凸部で、紐類１２と各リブとの間の摩擦係数を高める働きをする。本図の場合は、係止用凸部７を各リブが対向する側にのみ設けた構成を示す。
８は開口空間部で、旋回リブ２と締結リブ１とで形成される形成される空間である。左側面リブ５が締結リブ１の左端に結合されないことで開口空間部８が形成される。９は空間部で、支持リブ３と左側面リブ５と右側面リブ６と固定リブ４とが結合されて形成される空間である。
図２は、図１のＡ−Ａ‘断面図で、紐類１２が締結される状態を示す。紐類１２の一端は、固定リブ４に巻き付けられて固定される。そして紐類１２の他端の終端は支持リブ３に巻き付けられ、さらに旋回リブ２を旋回して、開口空間部８の開口部から締結リブ１と旋回リブ２の間に挟みこまれる。そして、その終端を強く引き、結束具の外に引き出す。これで結束作業は完了する。結束を解除する場合は、紐類１２の終端を開口空間部８から横方向に引っ張って締結リブ１からはずした後に支持リブ３に巻き付いた紐類１２を締結時とは逆方向に引っ張ると、紐類１２は旋回リブ２を締結時とは逆に旋回しながら解かれてゆく。
紐類１２は、固定リブ４や旋回リブ２や締結リブ１に設けられた係止用凸部７に当接して摩擦係数が増大することで、締結される際の紐類１２の戻りを防止することができる。
ただ、摩擦係数が大きすぎると紐類１２の解除時に支障をきたすので、必要以上に旋回リブ２と支持リブ３の間隔を狭くする必要はない。【００１２】図３は、本発明のプラスチック成形による結束具の他の一例を示すもので、係止用凸部７を各リブが対向する側に設けるだけでなく、それを各リブの対向しない側、つまり、各リブの外側にも設けたものである。
図４は、図３のＢ−Ｂ’断面図を示すものである。本図では、旋回リブ２と支持リブ３の各リブに４本の係止用凸部７が形成されている。これによって、各リブと紐類１２の摩擦係数はさらに増大する。図において、係止用凸部７は棒状の細長い凸部になっているが、通常のビニール紐などの細いタイプの紐類に有効である。紐類１２の形状によっては、複数の単なる突起を列状に配置する構成でも良い。帯紐やベルト状の紐類１２においては、各リブへの当接面積が大きくなるので、図示はしないが、複数の突起の列で構成される係止用凸部７でも摩擦係数を増大する効果はある。【００１３】図５は、図１の結束具を対称にして結合したもので、紐類１２の両端が自由端である場合の結束具である。通常は、紐類１２の一端は結束具の固定リブ４に固結びで固定され、他端は自由端として締結調整をした後に固定される。本図のように、紐類１２の両端が自由端である場合は紐類１２の締結調整や締結解除をどちらの自由端でも行なえるので取り扱いが便利になる。固定リブ４は、結束具の中心に位置し、他の各リブは固定リブ４から２本ずつ対称に配置される。本図においては、開口空間部８の位置がそれぞれ反対方向になっているが、同一方向に配置しても良い。それぞれの締結リブ１で紐類１２を引っ張り合う形になるので、力学的には開口空間部８の位置がそれぞれ反対方向にあったほうが均等に引っ張りあえる。本図の場合は、係止用凸部７を各リブが対向する側にのみ設けた構成を示す。【００１４】図６は、図５の結束具に、旋回リブ２と支持リブ３の各リブに４本の係止用凸部７を形成したものである。作用効果は、図３と同様である。【００１５】図７は、締結リブ１にテーパーをつけたもので、紐類１２の締結力を増強するものである。右側面リブ６と締結リブ１の結合部分で急激にテーパーをつけるテーパー部１０を締結リブ１につける。開口空間部８側にいくにつれて締結リブ１は旋回リブ２と平行になる。テーパー部１０の作用により、締結リブ１の締結力は強化され、紐類の引っ張り力による締結リブ１の開きも防止できる。支持リブ３の係止用凸部７は、本図の場合３本にして、支持リブ３と固定リブ４が対向する側、つまり、支持リブ３の底面には係止用凸部７を設けていない。この理由は以下の通りである。
１）支持リブ３においては紐類１２が支持リブ３に巻き付くような形で紐類１２の両端が引っ張られるので、支持リブ３の底面に引っ張り力の負荷が最も多くかかる。
２）このために、底面での摩擦係数が大きくなると紐類１２の擦れによる切断が生じる可能性がある。
３）さらに、締結時の締結調整の際に紐類１２の摺動を阻害して調整がやりにくくなる可能性もある。
４）上記１）から３）の事態を防止するために、支持リブ３の底面での摩擦係数を最小限にするためのものである。【００１６】図８は、締結リブ１にテーパーをつけたもので、紐類１２の締結力を増強するものである。図７との相違点は、右側面リブ６と締結リブ１の結合部分で急激にテーパーをつけるのでは無く、締結リブ１全体にテーパーをつけることである。テーパー部１０から徐々に締結リブ１にもテーパーがつけられ、開口空間部８側にいくにつれて締結リブ１全体が旋回リブ２側に傾斜してゆく構造になっている。この構造で、締結リブ１の締結力はさらに強化され、紐類の引っ張り力による締結リブ１の開きも防止できる。【００１７】図９は、右側面リブ６に湾曲部１１を設けたもので、湾曲構造で締結リブ１に結合されるので、締結リブ１の弾性とともに湾曲部１１での弾性があいまって作用する。したがって、非常にバネ性の高い締結リブ１となり、締結時の紐類１２の締結や解除時の作業が容易になる。図１０は、支持リブ３と固定リブ４と左側面リブ５と右側面リブ６とで形成される空間部９を台形状にしたものである。固定リブ４には、紐類１２を固結びなどで固定する場合が多く、紐類１２が固定される部分の空間は狭い方が紐類１２の横方向にずれるのを防止できる。紐類１２がベルト状の幅広の場合は、台形の空間部９の一辺はベルと幅より若干広めの幅にする。ビニール紐などのように細い紐類１２の場合は、その一辺はかなり狭くても良く、三角形に近い台形にしても良い。また、本図では、固定リブ４の側面にも係止用凸部７を設けている。この理由は、固定した紐類１２が緩みにくくする緩衝材として配置したものである。紐類１２を締め上げる場合にも効いてくる。【００１８】図１１は、図９の結束具を対称にして結合したもので、紐類１２の両端が自由端である場合の結束具である。通常は、紐類１２の一端は結束具の固定リブ４に固結びで固定され、他端は自由端として締結調整をした後に固定される。本図のように、紐類１２の両端が自由端である場合は紐類１２の締結調整や締結解除をどちらの自由端でも行なえるので取り扱いが便利になる。固定リブ４は、結束具の中心に位置し、他の各リブは固定リブ４から２本ずつ対称に配置される。本図においては、開口空間部８と湾曲部１１の位置がそれぞれ反対方向になっているが、同一方向に配置しても良い。それぞれの締結リブ１で紐類１２を引っ張り合う形になるので、力学的には開口空間部８と湾曲部１１の位置がそれぞれ反対方向にあったほうが均等に引っ張りあえる。【００１９】図１２は、締結リブ１にテーパー部１０を設けず、かつ、右側面リブ６に湾曲部１１を設けない結束具を示すもので、締結リブ１全体が旋回リブ２の方へ傾斜して開口空間部８が狭くなる構成にしている。テーパー部１０と湾曲部１１を廃止することで、締結リブ１の強度が上がるようにしたものである。弾性をより効かすために、締結リブ１と右側面リブ６との結合部の内面をえぐった構造にしている。安価に、かつ、成形ショット数を上げるには、この簡単な構造が最適である。
【図面の簡単な説明】
【００２０】
【図１】本発明の結束具の平面図である。
【図２】本発明の結束具の断面図である。
【図３】本発明の結束具の他の変形実施例の平面図である。
【図４】本発明の結束具の他の変形実施例の断面図である。
【図５】本発明の結束具の他の変形実施例の平面図である。
【図６】本発明の結束具の他の変形実施例の平面図である。
【図７】本発明の結束具の他の変形実施例の平面図である。
【図８】本発明の結束具の他の変形実施例の平面図である。
【図９】本発明の結束具の他の変形実施例の平面図である。
【図１０】本発明の結束具の他の変形実施例の平面図である。
【図１１】本発明の結束具の他の変形実施例の平面図である。
【図１２】本発明の結束具の他の変形実施例の平面図である。
【符号の説明】
【００２１】１    締結リブ
２    旋回リブ
３    支持リブ
４    固定リブ
５    左側面リブ
６    右側面リブ
７    係止用凸部
８    開口空間部
９    空間部
１０  テーパー部
１１  湾曲部
１２  紐類
【図１】
2009126582.tif 000003
【図２】
2009126582.tif 000004
【図３】
2009126582.tif 000005
【図４】
2009126582.tif 000006
【図５】
2009126582.tif 000007
【図６】
2009126582.tif 000008
【図７】
2009126582.tif 000009
【図８】
2009126582.tif 000010
【図９】
2009126582.tif 000011
【図１０】
2009126582.tif 000012
【図１１】
2009126582.tif 000013
【図１２】
2009126582.tif 000014